(57)【要約】【課題】表示部に対するユーザの入力を受け付けることが可能な情報処理装置において、ユーザが作成した表示部に表示されるシートの特定箇所を容易に保存することができるとともに、ユーザが当該シートの特定箇所を容易に読み出して再利用する。【解決手段】情報処理装置１は、オブジェクトを配置可能なシート１０ａを表示する表示部１２０と、表示部１２０に表示されたシート１０ａの表示状態を表す設定情報２２２が変更された当該シート１０ａを、ブックマークとして登録するブックマーク処理部２１３と、ブックマーク処理部２１３により前記ブックマークとして登録された前記シート１０ａが選択された場合に、選択された前記シート１０ａを、変更された設定情報２２２に応じた表示状態で表示部１２０に表示させる表示制御部２１２と、を備える。【選択図】図１０
2019204384.tif 000002
【特許請求の範囲】
【請求項１】
オブジェクトを配置可能なシートを表示する表示部と、
前記表示部に表示された前記シートの表示状態を表す設定情報が変更された当該シートを、ブックマークとして登録するブックマーク処理部と、
前記ブックマーク処理部により前記ブックマークとして登録された前記シートが選択された場合に、選択された前記シートを、変更された前記設定情報に応じた表示状態で前記表示部に表示させる表示制御部と、
を備える情報処理装置。
【請求項２】
前記設定情報は、前記シートのうち前記表示部に表示される表示位置を表す情報と、前記シートの表示倍率を表す情報と、前記シートの番号を表す情報とを含む、
請求項１に記載の情報処理装置。
【請求項３】
前記表示制御部は、前記ブックマークとして登録された前記シートのサムネイル画像を前記表示部に表示させる、
請求項２に記載の情報処理装置。
【請求項４】
前記表示制御部は、前記サムネイル画像が選択された場合に、選択された前記サムネイル画像に対応する前記シートを、前記設定情報に応じた表示状態で前記表示部に表示させる、
請求項３に記載の情報処理装置。
【請求項５】
前記表示制御部は、選択された前記サムネイル画像に対応する前記シートのうち、前記設定情報に含まれる前記表示位置に対応する前記オブジェクトを、前記設定情報に含まれる前記表示倍率に応じた大きさで前記表示部に表示させる、
請求項４に記載の情報処理装置。
【請求項６】
前記表示制御部は、前記表示部に表示された前記シートを前記ブックマークとして登録するための操作を受け付ける拡張メニューを前記表示部に表示させ、
前記拡張メニューは、前記シートを表示する表示領域と、前記表示領域に表示される前記シートの位置の移動操作を受け付ける位置操作部と、前記シートの表示倍率の変更操作を受け付ける倍率操作部と、前記ブックマークとして登録するための登録操作を受け付ける登録操作部とを含み、
前記ブックマーク処理部は、前記登録操作に基づいて、前記設定情報が変更された前記シートを前記ブックマークとして登録する、
請求項１から請求項５の何れか１項に記載の情報処理装置。
【請求項７】
表示部に表示された、オブジェクトを配置可能なシートの表示状態を表す設定情報の変更操作を受け付けるステップと、
前記表示部に表示された前記設定情報が変更された前記シートをブックマークとして登録するための登録操作を受け付けるステップと、
前記登録操作に基づいて、前記設定情報が変更された前記シートを前記ブックマークとして登録するステップと、
前記ブックマークとして登録された前記シートの選択操作を受け付けるステップと、
前記選択操作を受け付けた場合に、選択された前記シートを、変更された前記設定情報に応じた表示状態で前記表示部に表示させるステップと、
を含む情報処理方法。
【請求項８】
表示部に表示された、オブジェクトを配置可能なシートの表示状態を表す設定情報の変更操作を受け付けるステップと、
前記表示部に表示された前記設定情報が変更された前記シートをブックマークとして登録するための登録操作を受け付けるステップと、
前記登録操作に基づいて、前記設定情報が変更された前記シートを前記ブックマークとして登録するステップと、
前記ブックマークとして登録された前記シートの選択操作を受け付けるステップと、
前記選択操作を受け付けた場合に、選択された前記シートを、変更された前記設定情報に応じた表示状態で前記表示部に表示させるステップと、
をコンピュータに実行させるためのプログラム。
【発明の詳細な説明】
【技術分野】
【０００１】
本発明は、シート表示する表示部にタッチペンにより描画情報を描画（入力）可能な情報処理装置、情報処理方法、及びプログラムに関する。
【背景技術】
【０００２】
従来、タッチパネルを用いてユーザからの指示入力（タッチ）を受け付ける表示装置（情報処理装置）の１つとして、電子ボード（電子白板又は電子黒板ともいう。）が知られている。前記電子ボードは、例えば会議等で用いられる。前記電子ボードは、タッチパネル上においてペン等によって指定される位置座標を読み取り、読み取った位置座標の情報に基づいて入力の軌跡を表示部に表示する。
【０００３】
特許文献１には、タッチパネル上で作成した書き込みデータを、タッチパネルにおいて入力された保存用パスコードに対応付けて記憶装置に保存し、タッチパネルにおいて保存用パスコードと同一の復元用パスコードが入力された場合に、復元用パスコードに対応する書き込みデータを記憶装置から取得して表示装置に描画する技術が開示されている。また特許文献１には、上述の技術による効果として、保存した書き込みデータの安全性を確保しつつ、書き込みデータをパスコードの入力のみで簡便に再利用することができる旨の記載がされている。
【先行技術文献】
【特許文献】
【０００４】
【特許文献１】特開２０１２−４８６１０号公報
【発明の概要】
【発明が解決しようとする課題】
【０００５】
ここで、例えば、ユーザは、表示部に表示されたシート（ページ）の所望の箇所が重要と考える場合、後で当該箇所を見直すことができるように前記シートを記憶部に保存する。この場合において、前記従来の技術では、前記書き込みデータを１つのファイルとして保存する構成であるため、例えば、ユーザは、前記書き込みデータを再利用する際に、前回の利用時に重要と考えた所望の箇所に容易にアクセスすることが難しい。
【０００６】
本発明の目的は、表示部に対するユーザの入力を受け付けることが可能な情報処理装置において、ユーザが作成した表示部に表示されるシートの特定箇所を容易に保存することができるとともに、ユーザが当該シートの特定箇所を容易に読み出して再利用することが可能な情報処理装置、情報処理方法、及びプログラムを提供することにある。
【課題を解決するための手段】
【０００７】
本発明の一の態様に係る情報処理装置は、オブジェクトを配置可能なシートを表示する表示部と、前記表示部に表示された前記シートの表示状態を表す設定情報が変更された当該シートを、ブックマークとして登録するブックマーク処理部と、前記ブックマーク処理部により前記ブックマークとして登録された前記シートが選択された場合に、選択された前記シートを、変更された前記設定情報に応じた表示状態で前記表示部に表示させる表示制御部と、を備える。
【０００８】
本発明の他の態様に係る情報処理方法は、表示部に表示された、表示部に表示された、オブジェクトを配置可能なシートの表示状態を表す設定情報の変更操作を受け付けるステップと、前記表示部に表示された前記設定情報が変更された前記シートをブックマークとして登録するための登録操作を受け付けるステップと、前記登録操作に基づいて、前記設定情報が変更された前記シートを前記ブックマークとして登録するステップと、前記ブックマークとして登録された前記シートの選択操作を受け付けるステップと、前記選択操作を受け付けた場合に、選択された前記シートを、変更された前記設定情報に応じた表示状態で前記表示部に表示させるステップと、を含む。
【０００９】
本発明の他の態様に係るプログラムは、表示部に表示された、オブジェクトを配置可能なシートの表示状態を表す設定情報の変更操作を受け付けるステップと、前記表示部に表示された前記設定情報が変更された前記シートをブックマークとして登録するための登録操作を受け付けるステップと、前記登録操作に基づいて、前記設定情報が変更された前記シートを前記ブックマークとして登録するステップと、前記ブックマークとして登録された前記シートの選択操作を受け付けるステップと、前記選択操作を受け付けた場合に、選択された前記シートを、変更された前記設定情報に応じた表示状態で前記表示部に表示させるステップと、をコンピュータに実行させるためのプログラムである。
【発明の効果】
【００１０】
本発明によれば、表示部に対するユーザの入力を受け付けることが可能な情報処理装置において、ユーザが作成した表示部に表示されるシートの特定箇所を容易に保存することができるとともに、ユーザが当該シートの特定箇所を容易に読み出して再利用することができる。
【図面の簡単な説明】
【００１１】
【図１】図１は、本発明の実施形態に係る情報処理装置の構成を示すブロック図である。
【図２】図２は、本発明の実施形態に係る表示部に表示される表示画面の一例を示す図である。
【図３】図３は、本発明の実施形態１に係る表示部に表示される拡張メニューの一例を示す図である。
【図４】図４は、本発明の実施形態１に係る設定情報の一例を示す図である。
【図５】図５は、本発明の実施形態１に係る表示部に表示される表示画面の一例を示す図である。
【図６】図６は、本発明の実施形態１に係る表示部に表示される表示画面の一例を示す図である。
【図７】図７は、本発明の実施形態１に係る表示部に表示される拡張メニューの一例を示す図である。
【図８】図８は、本発明の実施形態１に係る制御装置におけるブックマーク登録処理の手順の一例を説明するためのフローチャートである。
【図９】図９は、本発明の実施形態１に係る表示部に表示されるサムネイル画像欄の一例を示す図である。
【図１０】図１０は、本発明の実施形態１に係る表示部に表示されるサムネイル画像欄の一例を示す図である。
【図１１】図１１は、本発明の実施形態１に係る制御装置におけるブックマーク読出処理の手順の一例を説明するためのフローチャートである。
【図１２】図１２は、本発明の実施形態１に係る表示部に表示されるサムネイル画像欄の一例を示す図である。
【図１３】図１３は、本発明の実施形態１に係る表示部に表示される表示画面の一例を示す図である。
【図１４】図１４は、本発明の実施形態２に係る表示部に表示される拡張メニューの一例を示す図である。
【図１５】図１５は、本発明の実施形態２に係る表示部に表示されるサムネイル画像登録欄の一例を示す図である。
【図１６】図１６は、本発明の実施形態２に係る表示部に表示されるサムネイル画像登録欄の一例を示す図である。
【図１７】図１７は、本発明の実施形態２に係る表示部に表示されるサムネイル画像登録欄の一例を示す図である。
【図１８】図１８は、本発明の実施形態３に係る表示部に表示される表示画面の一例を示す図である。
【図１９】図１９は、本発明の実施形態３に係る表示部に表示される表示画面の一例を示す図である。
【図２０】図２０は、本発明の実施形態３に係る制御装置におけるブックマーク登録処理の手順の一例を説明するためのフローチャートである。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
［実施形態１］
図１に示すように、本発明の実施形態１に係る情報処理装置１は、タッチパネルディスプレイ１００と、制御装置２００と、タッチペン３００とを備えている。制御装置２００は、タッチパネルディスプレイ１００に接続され、タッチパネルディスプレイ１００を制御するコンピュータである。タッチペン３００は、制御装置２００にネットワーク（有線通信又は無線通信）を介して接続されている。なお、タッチペン３００は、省略されてもよい。
【００１４】
タッチパネルディスプレイ１００は、タッチパネル１１０と、表示部１２０と、を備えている。タッチパネル１１０は、静電容量方式のタッチパネルであってもよいし、感圧式又は赤外線遮断方式のタッチパネルであってもよい。すなわち、タッチパネル１１０は、タッチ等、利用者の操作入力を適宜受け付けることが可能な装置であればよい。タッチパネル１１０は、表示部１２０に設けられている。表示部１２０は、例えば液晶ディスプレイである。なお、表示部１２０は、液晶ディスプレイに限定されず、ＬＥＤ（Light Emitting Diode）ディスプレイ、有機ＥＬ（Electro-Luminescence）ディスプレイ、プロジェクタ等であってもよい。
【００１５】
タッチパネルディスプレイ１００は、コンピュータ、タブレット端末、スマートフォン、カーナビゲーションなどの装置であってもよい。
【００１６】
タッチペン３００は、ユーザがタッチパネルディスプレイ１００に対してタッチ（入力）するためのペンである。タッチペン３００が省略される場合は、ユーザは指によりタッチパネルディスプレイ１００に対してタッチ（入力）する。
【００１７】
図１に示すように、制御装置２００は、記憶部２２０と、制御部２１０とを備えている。記憶部２２０には、制御装置２００が実行可能なコンピュータプログラム２２１が格納されている。制御部２１０は、ＣＰＵ（Central Processing Unit）で構成されている。ユーザの操作により制御装置２００の起動が指示された場合（例えば、図示しない電源ボタンが押下された場合）、制御部２１０は、記憶部２２０からコンピュータプログラム２２１を読み出して実行する。これにより、制御装置２００が起動する。
【００１８】
また、記憶部２２０には、制御装置２００が実行可能なコンピュータプログラム２２１として、ペンソフトウェアがインストールされている。制御装置２００が起動しているときに、ユーザの操作によりペンソフトウェアの起動が指示された場合、制御部２１０は、記憶部２２０からペンソフトウェアを読み出して実行する。これにより、ペンソフトウェアが制御装置２００上で起動する。
【００１９】
制御部２１０は、入力検出部２１１と、表示制御部２１２と、ブックマーク処理部２１３と、を備えている。制御部２１０は、例えば、タッチパネルディスプレイ１００に対して描画・入力された画像の表示を制御したり、他の画像入力装置から入力された画像の表示を制御したりする。
【００２０】
入力検出部２１１は、タッチパネルディスプレイ１００に対するタッチペン３００の入力を検出する。具体的には、入力検出部２１１は、タッチパネル１１０上においてタッチペン３００又はユーザの指によって入力（指定）された位置座標を検出する。
【００２１】
表示制御部２１２は、表示部１２０にシート１０ａを含む表示画面１０を表示させる。例えば、表示制御部２１２は、制御装置２００においてペンソフトウェアが起動しているときに、図２に示す表示画面１０を表示部１２０に表示させる。また表示制御部２１２は、入力検出部２１１により検出された位置座標に基づいて、入力の軌跡を表示部１２０に表示させる。
【００２２】
図２に示すように、表示画面１０は、シート１０ａと、ツールバー１０ｂと、メニュー画面１２と、メニュー画面１２に含まれる複数のアイコン１２ａとを含んでいる。シート１０ａは、表示画面１０の上部に配置され、ツールバー１０ｂは、表示画面１０の下部に配置される。シート１０ａは、タッチパネル１１０を構成するボード（例えば、ホワイトボード）の領域に対応する。
【００２３】
ユーザは、シート１０ａ（ボード）に対してタッチペン３００により文字等の描画情報を描画（入力）することができる。図２には、ユーザがタッチペン３００により描画した描画情報を示している。ユーザがシート１０ａに対してタッチペン３００により描画情報を描画した場合、入力検出部２１１はタッチペン３００の入力（位置座標）を検出し、表示制御部２１２は、入力検出部２１１により検出された位置座標に基づいて、入力の軌跡を表示部１２０の表示画面１０（シート１０ａ）に表示させる。またシート１０ａには、前記画像入力装置から入力される画像が表示される。このように、表示部１２０に表示されるシート１０ａは、描画及び画像等のオブジェクトを配置可能に構成されている。図２に示すシート１０ａには、３個のオブジェクトＡ１、Ａ２、Ａ３が配置されている。
【００２４】
アイコン１２ａは、ペンソフトウェアにおける特定の機能を実行するためのショートカットアイコンであり、当該機能に応じて複数配置されている。前記機能には、例えば、「ファイルを開く」、「ファイルを保存する」、「印刷」、「線を描く」、「消しゴム」などが含まれる。ユーザは、所望の機能を適宜追加することができる。
【００２５】
ツールバー１０ｂには、表示画面１０を操作するための機能を実行するための複数の操作ボタンが配置されている。図２には、操作ボタン１３〜１５を例示している。操作ボタン１３は、表示画面１０に表示される複数のシート１０ａ（ページ）をサムネイル画像で一覧表示させるための操作ボタンである。操作ボタン１４は、表示画面１０に拡張メニュー２０（図３等参照）を表示させるための操作ボタンである。操作ボタン１５は、表示画面１０に表示されたシート１０ａの番号（シート番号）を繰り上げる又は繰り下げる（ページをめくる）ための操作ボタンである。２つの操作ボタン１５の間には、表示画面１０に現在表示されているシート１０ａ（ページ）の番号が表示される。図２には、全５枚のシート１０ａ（全５ページ）のうち、２番目（２ページ目）のシート１０ａが表示されていることを示している。
【００２６】
ツールバー１０ｂに、その他の操作ボタンが配置されてもよい。例えば、ペンソフトウェアの設定画面を表示させる操作ボタン、ペンソフトウェアをタスクトレイに格納するための操作ボタン、ペンソフトウェアを終了するための操作ボタンなどが、ツールバー１０ｂに配置されてもよい。
【００２７】
図２に示す表示画面１０において、例えば、ユーザがメニュー画面１２などを指示媒体（タッチペン３００のペン先又はユーザの指先）でタッチ（選択）すると、表示制御部２１２は、当該タッチに応じた処理を行う。また例えば、ユーザが操作ボタン１４を前記指示媒体でタッチすると、表示制御部２１２は、図３に示す拡張メニュー２０を表示画面１０に表示させる。拡張メニュー２０は、表示画面１０において、シート１０ａに重畳して表示されてもよいし、シート１０ａの領域外に表示されてもよい。拡張メニュー２０は、表示部１２０の表示画面１０に表示されたシート１０ａをブックマークとして登録するための操作を受け付ける操作画面である。
【００２８】
図３に示すように、拡張メニュー２０は、表示領域２１（本発明の表示部の一例）と、移動ボタン２１ａ〜２１ｄ（本発明の位置操作部に相当）と、倍率変更ボタン２２ａ、２２ｂ（本発明の倍率操作部に相当）と、ブックマーク登録ボタン２３（本発明の登録操作部に相当）と、ブックマーク読出ボタン２４とを含んでいる。
【００２９】
表示領域２１には、シート１０ａの全体が表示される。また、表示領域２１に表示されるシート１０ａ全体の領域のうち、点線枠２１ｅで囲まれた領域が、表示画面１０に表示される。よって、表示領域２１と点線枠２１ｅとが一致する場合（図３参照）、シート１０ａ全体の領域が表示画面１０に表示される。
【００３０】
移動ボタン２１ａ〜２１ｄは、表示領域２１に表示されたシート１０ａ全体の領域のうち表示画面１０に表示させる領域（点線枠２１ｅで囲まれた領域）を移動させるための移動操作（本発明の変更操作の一例）を受け付けるボタンである。例えば、ユーザが移動ボタン２１ｂをタッチ（選択）した場合、点線枠２１ｅが右側に移動し、表示制御部２１２は、シート１０ａの右側を表示画面１０に表示させ、ユーザが移動ボタン２１ｃをタッチした場合、表示制御部２１２は、シート１０ａの上側を表示画面１０に表示させる。
【００３１】
また、移動ボタン２１ａ〜２１ｄのうちある方向のシート端が表示領域２１に表示された状態でユーザが当該方向の移動ボタンをタッチした場合、表示制御部２１２は、シート１０ａのサイズを拡張して表示画面１０に表示させる。例えば、表示領域２１にシート１０ａの端部（例えば、左端部）が表示されている場合に、ユーザが移動ボタン２１ｄをタッチした場合、表示制御部２１２は、シート１０ａのサイズを左側に拡張して表示画面１０に表示させる。すなわち、移動ボタン２１ａ〜２１ｄは、シート１０ａのサイズを拡張するための機能も有する。
【００３２】
倍率変更ボタン２２ａ、２２ｂは、表示画面１０に表示されたシート１０ａを拡大又は縮小させるための変更操作（本発明の変更操作の一例）を受け付けるボタンである。例えば、ユーザが倍率変更ボタン２２ａ、２２ｂをタッチするたびに、表示制御部２１２は、５０％〜４００％の間で２５％ずつシート１０ａの画面を拡大又は縮小させる。表示画面１０においてシート１０ａの表示倍率が変更された場合、表示領域２１に表示されたシート１０ａ全体の領域のうち表示画面１０に表示されている領域が、点線枠２１ｅで表される。
【００３３】
表示画面１０においてシート１０ａの表示領域を移動又は表示倍率を変更（拡大又は縮小）する操作は、タッチパネル１１０に対するユーザによるジェスチャー操作（スワイプ操作、ピンチイン操作、ピンチアウト操作）により行われてもよい。
【００３４】
ブックマーク登録ボタン２３は、表示領域２１及び表示画面１０に現在表示されているシート１０ａをブックマークとして登録するための登録操作を受け付けるボタンである。ユーザがブックマーク登録ボタン２３をタッチした場合、表示制御部２１２は、ブックマーク登録用のサムネイル画像登録欄１７（図９参照）を表示させ、ブックマーク処理部２１３は、表示領域２１及び表示画面１０に現在表示されているシート１０ａを、現在の表示状態で、サムネイル画像登録欄１７のうちユーザにより選択された登録枠（後述）に登録する。
【００３５】
また、ブックマーク処理部２１３は、拡張メニュー２０で受け付けた前記移動操作及び前記変更操作に基づいて変更された現在の表示状態を表す設定情報２２２（ブックマーク情報）を記憶部２２０に記憶する（図１参照）。例えば、倍率変更ボタン２２ａにより表示倍率が拡大（例えば２５０％）された状態でブックマーク登録ボタン２３がタッチされた場合、ブックマーク処理部２１３は、拡大変更された表示倍率（「２５０％」）の設定情報２２２を記憶部２２０に記憶する。また例えば、移動ボタン２１ａ〜２１ｄによりシート１０ａの表示位置が変更された状態でブックマーク登録ボタン２３がタッチされた場合、ブックマーク処理部２１３は、変更された表示位置（位置座標）の設定情報２２２を記憶部２２０に記憶する。尚、表示倍率及び表示位置の両方が変更された状態でブックマーク登録ボタン２３がタッチされた場合は、ブックマーク処理部２１３は、変更された表示倍率及び表示位置の設定情報２２２を記憶部２２０に記憶する。尚、前記表示位置は、シート１０ａ全体の領域における点線枠２１ｅで囲まれた領域の位置を示す。また、表示画面１０に表示されたシート１０ａの表示状態が変更されずにブックマーク登録ボタン２３がタッチされた場合、ブックマーク処理部２１３は、当該表示状態を表す設定情報２２２（ブックマーク情報）を記憶部２２０に記憶する。
【００３６】
またブックマーク登録ボタン２３がタッチされた場合、ブックマーク処理部２１３は、現在表示されているシート１０ａ（ページ）の番号の情報を設定情報２２２に含めて記憶部２２０に記憶する。
【００３７】
図４は、設定情報２２２の一例を示す図である。図４に示すように、設定情報２２２には、ブックマーク番号、シート番号、表示倍率、表示位置などの情報が含まれる。ブックマーク番号は、ブックマークの登録番号である。ブックマークとして登録できる数は予め設定されており、例えば１０個に設定される。ユーザは、所望の登録先のブックマーク番号（登録枠）を選択してブックマークの登録を行う。図４では、ブックマーク番号「１」〜「４」は登録済であり、ブックマーク番号「５」〜「１０」は未登録であることを示している。ユーザは、登録済みのブックマーク番号を選択して新たなシート１０ａに更新しても良いし、未登録のブックマーク番号を選択して新たなシート１０ａを登録しても良い。
【００３８】
ブックマーク読出ボタン２４は、ブックマークとして登録された１又は複数のシート１０ａを読み出すための操作ボタンである。例えば、ユーザがブックマーク読出ボタン２４をタッチ（本発明の選択操作の一例）した場合、表示制御部２１２は、ブックマークとして登録された１又は複数のシート１０ａをサムネイル画像として一覧表示させる。一覧表示されたサムネイル画像の中からユーザが所望のサムネイル画像をタッチした場合、表示制御部２１２は、タッチされたサムネイル画像に対応するシート１０ａを、当該シート１０ａの設定情報２２２（表示倍率、表示位置）に応じた表示状態で表示部１２０に表示させる。
【００３９】
［ブックマーク登録処理］
以下、図５〜図１０を参照しつつ、制御装置２００の制御部２１０によって実行されるブックマーク登録処理の手順の一例について説明する。前記ブックマーク登録処理は、本発明の情報処理方法の一例である。図５には、ユーザが、タッチパネル１１０に対してタッチペン３００により描画情報としてのオブジェクトＡ１、Ａ２、Ａ３を描画した場合の表示画面１０を示している。図６には、シート１０ａ全体の領域のうちオブジェクトＡ２が表示された位置（領域）を、表示倍率２５０％に設定した場合の表示画面１０を示している。図７には、図６に示す拡張メニュー２０を拡大した様子を示している。
【００４０】
図８のステップＳ１０１では、図６に示す表示画面１０においてユーザがブックマーク登録ボタン２３をタッチした場合（Ｓ１０１：ＹＥＳ）、表示制御部２１２は、図９に示すサムネイル画像登録欄１７に、ブックマークとして登録されたシート１０ａのサムネイル画像１８と、新たにブックマークとして登録するための登録枠（例えば点線枠）とを表示させる（Ｓ１０２）。図９に示すサムネイル画像登録欄１７では、予め設定された１０個（ブックマーク番号「１」〜「１０」）の登録枠（登録スペース）が表示されている。ここでは、ブックマーク番号「１」は登録済みであり、ブックマーク番号「２」〜「１０」は未登録であることを示している。ブックマークとして登録されたシート１０ａの設定情報２２２（シート番号、表示倍率、表示位置）は、記憶部２２０（図４参照）に記憶される。図９では、ブックマーク番号「１」にシート番号「５」（Ｐ．５）のシート１０ａがブックマークとして登録されていることを示している。
【００４１】
ステップＳ１０３において、ユーザが、サムネイル画像登録欄１７において、所望の登録先（登録枠又は登録済サムネイル画像）をタッチ（選択）した場合（Ｓ１０３：ＹＥＳ）、ブックマーク処理部２１３は、選択された登録先に、ブックマークとして登録するシート１０ａのサムネイル画像１８を登録する（Ｓ１０４）。図９には、タッチペン３００によりブックマーク番号「２」の登録枠が選択された様子を示している。ブックマーク処理部２１３は、図１０に示すように、ブックマーク番号「２」の登録枠に、シート番号「２」のサムネイル画像１８を、現在の表示状態を表す設定情報２２２（表示倍率及び表示位置）で表示するとともに、表示したサムネイル画像１８の上にシート番号「２」の情報「Ｐ．２」を表示する。また、ブックマーク処理部２１３は、前記設定情報２２２を記憶部２２０に記憶する（図４参照）。ここでは、設定情報２２２のブックマーク番号「２」に、シート１０ａのシート番号の情報「２」と、シート１０ａ全体の領域に対するオブジェクトＡ２の表示位置の情報「ｘ２、ｙ２」と、表示倍率の情報「２５０％」とが関連付けられて記憶される（図４参照）。
【００４２】
尚、ユーザが、サムネイル画像登録欄１７において、ブックマークとして既に登録されている登録枠（登録済サムネイル画像）を選択した場合、ブックマーク処理部２１３は、当該登録枠に表示されたサムネイル画像１８（登録済サムネイル画像）を、新たにブックマークとして登録するシート１０ａのサムネイル画像１８に更新する。また、ブックマーク処理部２１３は、記憶部２２０に記憶されている設定情報２２２を、新たにブックマークとして登録するシート１０ａに対応する設定情報２２２に更新する。
【００４３】
尚、表示制御部２１２は、複数のシート１０ａを一覧表示させたサムネイル画像一覧において、ブックマーク処理部２１３によりブックマークとして登録されたサムネイル画像１８に識別情報（フラグ）を表示させてもよい。これにより、ユーザは、シート１０ａのサムネイル画像一覧において、ブックマークとして登録されたシート１０ａを容易に確認することができる。
【００４４】
［ブックマーク読出処理］
以下、図１１〜図１３を参照しつつ、制御装置２００の制御部２１０によって実行されるブックマーク読出処理の手順の一例について説明する。前記ブックマーク読出処理は、本発明の情報処理方法の一例である。
【００４５】
図１１のステップＳ２０１において、ユーザが操作ボタン１４をタッチして拡張メニュー２０を表示させ、拡張メニュー２０においてユーザがブックマーク読出ボタン２４をタッチした場合（Ｓ２０１：ＹＥＳ）、表示制御部２１２は、図１２に示すように、ブックマークとして登録された１又は複数のシート１０ａのサムネイル画像１８を、表示画面１０のサムネイル画像登録欄１７に一覧表示させる（Ｓ２０２）。
【００４６】
尚、表示画面１０に表示されるサムネイル画像１８の表示数は、１０個に限定されず、それ以上であってもよい。また、サムネイル画像１８の表示数を変更可能に構成されてもよい。また、全てのサムネイル画像１８が表示画面１０の表示領域に収まらない場合、表示画面１０をスクロールすることが可能に構成されてもよいし、表示領域に収まるようにサムネイル画像１８の表示サイズを表示数に応じて変更可能に構成されてもよい。また、サムネイル画像１８の一覧は、予め設定された所定の位置に表示されてもよいし、任意の位置に表示されてもよく、表示内容を確実に視認できる大きさで表示されることが望ましい。
【００４７】
ステップＳ２０３において、ユーザが、一覧表示された複数のサムネイル画像１８（図１２参照）の中から、ブックマークとして登録された所望のサムネイル画像１８をタッチ（選択）した場合（Ｓ２０３：ＹＥＳ）、ブックマーク処理部２１３は、選択されたサムネイル画像１８に対応する設定情報２２２を記憶部２２０から取得する（Ｓ２０４）。例えば、シート番号「２」のサムネイル画像１８が選択された場合、ブックマーク処理部２１３は、シート番号「２」に対応する設定情報２２２として、シート番号の情報「２」とオブジェクトＡ２の表示位置の情報「ｘ２、ｙ２」と表示倍率の情報「２５０％」とを記憶部２２０から取得する。
【００４８】
ステップＳ２０５において、表示制御部２１２は、取得された設定情報２２２に基づいてシート番号「２」のシート１０ａを表示部１２０に表示させる（図１３参照）。具体的には、表示制御部２１２は、シート番号「２」のシート１０ａのうち、取得した設定情報２２２に含まれる表示位置（位置座標（ｘ２、ｙ２））に対応する表示内容（ここではオブジェクトＡ２）を、取得した設定情報２２２に含まれる表示倍率（ここでは２５０％）に応じた大きさで表示部１２０に表示させる。このように、設定情報２２２には、シート１０ａに描画された情報（画像情報など）は含まれず、表示状態（表示態様）を規定する情報のみが含まれる。
【００４９】
以上のように、本発明の実施形態１に係る情報処理装置１によれば、ユーザは情報（文字など）を書き込んだシート１０ａをブックマークとして登録し、その後に当該シート１０ａを再利用したい場合に、容易に当該シート１０ａを読み出すことができる。また、ブックマークとして登録した時点の表示状態で前記シート１０ａを読み出すことができるため、ユーザは、前回重要と考えた箇所及び前回の思考を容易に見直したり、振り返ったりすることができる。
【００５０】
尚、前記ブックマーク読出処理において、表示制御部２１２は、ブックマークとして登録されたシート１０ａを、設定情報２２２に含まれる表示倍率（例えば２５０％）に関わらず、初期設定時の表示倍率（例えば１００％）に応じた大きさで表示部１２０に表示させてもよい。上述の例では、例えば、図１２に示す表示画面１０のサムネイル画像登録欄１７において、シート番号「２」のサムネイル画像１８が選択された場合、表示制御部２１２は、図２に示すように、シート１０ａの全体（表示倍率：１００％）を表示部１２０に表示させてもよい。これにより、ユーザは、ブックマークとして登録した時点の重要箇所についてはサムネイル画像登録欄１７のサムネイル画像１８で確認することができるとともに、再表示されたシート１０ａ全体に対する編集作業を行い易くなる。
【００５１】
上述した設定情報２２２には、図４に示す各情報に加えて、さらに、ブックマークとして登録した時点の時間を示す登録時間情報、ブックマークとして登録されたシート１０ａの重要度を示すランク情報等が含まれてもよい。この場合、表示制御部２１２は、サムネイル画像登録欄１７において、前記時間情報、前記ランク情報等に基づいて、サムネイル画像１８の表示順を決定してもよいし、サムネイル画像１８の表示態様（シート１０ａの背景色、シート１０ａの枠の色、線種等）を変更してもよい。
【００５２】
ここで、ブックマークとして登録されたシート１０ａのページ番号が変更された場合は、以下の動作を行う。例えばページ番号「２」のシート１０ａをブックマーク番号「２」にブックマークとして登録した後に、例えばページ番号「１」のシート１０ａが削除されることによりページ番号「２」のシート１０ａがページ番号「１」に移動した場合において、ユーザが、サムネイル画像登録欄１７のブックマーク番号「２」の登録済枠（サムネイル画像１８）を選択した場合、表示制御部２１２は、ページ番号「１」のシート１０ａを表示画面１０に表示させる。このとき、表示制御部２１２は、シート１０ａを、移動先のページ番号「１」の設定情報２２２（表示倍率及び表示位置）に応じた態様でシート１０ａを表示させる。
【００５３】
［実施形態２］
拡張メニュー２０は、図３に示す構成に限定されず、図１４に示す構成であってもよい。図１４は、実施形態２に係る情報処理装置１における拡張メニュー２０の一例を示す図である。図１４に示すように、実施形態２に係る拡張メニュー２０は、実施形態１に係る拡張メニュー２０（図３参照）においてブックマーク登録ボタン２３とブックマーク読出ボタン２４とが省略され、ブックマーク用サムネイル表示ボタン２５（本発明の表示操作部に相当）が含まれている。ブックマーク用サムネイル表示ボタン２５は、図１５に示すサムネイル画像登録欄１７（本発明の登録一覧に相当）を表示画面１０に表示させるための操作を受け付けるボタンである。
【００５４】
実施形態２に係る情報処理装置１は、以下のようにして、ブックマーク登録処理及びブックマーク読出処理を実行する。ユーザは、表示画面１０に表示されたシート１０ａをブックマークとして登録したい場合、及び、ブックマークとして登録されたシート１０ａを表示画面１０に表示させたい場合に、拡張メニュー２０のブックマーク用サムネイル表示ボタン２５をタッチ（選択）する。ユーザがブックマーク用サムネイル表示ボタン２５をタッチすると、表示制御部２１２は、サムネイル画像登録欄１７を表示画面１０に表示させる。
【００５５】
図１５は、ユーザがブックマーク用サムネイル表示ボタン２５をタッチした場合に表示画面１０に表示されるサムネイル画像登録欄１７を示している。サムネイル画像登録欄１７には、予め設定された複数（ここでは１０個）の登録枠が含まれる。複数の登録枠には、ブックマークとして既に登録されているシート１０ａがサムネイル画像１８として表示された登録済枠（図１５では、ブックマーク番号「１」）と、ブックマークとして登録されていないことを示す未登録枠（ブックマーク番号「２」〜「１０」）とが含まれる。サムネイル画像登録欄１７の未登録枠には、「＋」のマークが表示される。尚、ブックマークとして登録されたシート１０ａが存在しない場合、複数の登録枠は全て未登録枠となり、ブックマークとして登録されたシート１０ａが予め設定された登録枠の数（例えば１０個）に達した場合、複数の登録枠は全て登録済枠となる。
【００５６】
ブックマーク登録処理では、例えば、ユーザは、表示画面１０に表示されているシート１０ａをブックマークとして登録する場合、何れかの未登録枠（「＋」）をタッチする。ここでは、ユーザがブックマーク番号「２」をタッチすると、図１６に示すように、シート１０ａ全体の領域のうちオブジェクトＡ２を含む領域（表示位置「ｘ２、ｙ２」）が表示倍率「２５０％」でブックマーク番号「２」にブックマークとして登録される。
【００５７】
また、ユーザは、表示画面１０に表示されているシート１０ａをブックマークとして登録する場合、登録済みのシート１０ａに、新たにブックマークとして登録するシート１０ａを上書き保存してもよい。例えば、図１５に示す表示画面１０において、ユーザがブックマーク番号「１」の登録済枠の「変更」ボタンをタッチすると、図１７に示すように、シート１０ａ全体の領域のうちオブジェクトＡ２を含む領域（表示位置「ｘ２、ｙ２」）が表示倍率「２５０％」でブックマーク番号「１」にブックマークとして登録（上書き保存）される。
【００５８】
このように、ユーザが、サムネイル画像登録欄１７に予め設定された複数の登録枠（登録済枠、未登録枠）のうち何れかの登録枠をタッチ（選択）した場合、ブックマーク処理部２１３は、選択された登録枠に、ブックマークとして登録するシート１０ａのサムネイル画像１８を登録する。尚、サムネイル画像１８は、変更された設定情報２２２（表示倍率及び表示位置）に応じた態様で表示される（図１６及び図１７参照）。尚、例えばブックマーク番号「１」にブックマークとして登録されているシート１０ａを削除した場合、サムネイル画像登録欄１７のブックマーク番号「１」の登録枠には、シート１０ａのサムネイル画像が削除されて、「＋」のマーク（未登録枠）が表示される。
【００５９】
ブックマーク読出処理において、ユーザ、ブックマークとして登録されているシート１０ａを表示させたい場合、ブックマーク用サムネイル表示ボタン２５をタッチして表示画面１０にサムネイル画像登録欄１７を表示させる。次に、ユーザは、表示画面１０に表示されているサムネイル画像登録欄１７のうち所望の登録済枠（例えばブックマーク番号「２」の登録済枠）のサムネイル画像１８をタッチする。ユーザが前記サムネイル画像１８をタッチすると、表示制御部２１２は、前記設定情報２２２に基づいてシート番号「２」のシート１０ａを表示部１２０に表示させる。具体的には、表示制御部２１２は、シート番号「２」のシート１０ａのうち、前記設定情報２２２に含まれる表示位置（位置座標（ｘ２、ｙ２））に対応する表示内容（ここではオブジェクトＡ２）を、前記設定情報２２２に含まれる表示倍率（ここでは２５０％）に応じた大きさで表示部１２０に表示させる（図１３参照）。
【００６０】
このように、ユーザが、サムネイル画像登録欄１７に登録された登録済枠（サムネイル画像１８）をタッチ（選択）した場合、表示制御部２１２は、設定情報２２２（表示倍率及び表示位置）に応じた態様でシート１０ａを表示させる。実施形態２に係る情報処理装置１では、シート１０ａをブックマークとして登録する場合、及び、ブックマークとして登録されたシート１０ａを読み出して表示する場合の何れの場合も同一の操作画面（図１５〜図１７参照）で操作することができるため、操作性を向上せることができる。すなわち、例えば図１５に示す表示画面１０において、ユーザがブックマーク番号「１」のサムネイル画像１８をタッチすると、シート番号「５」のシート１０ａが表示部１２０に表示され、ユーザがブックマーク番号「１」の「変更」ボタンをタッチすると、表示画面１０に表示されているシート１０ａがブックマーク番号「１」のブックマークとして上書き保存され、ユーザがブックマーク番号「２」の未登録枠（「＋」）をタッチすると、表示画面１０に表示されているシート１０ａがブックマーク番号「２」のブックマークとして新たに登録される。実施形態２に係る情報処理装置１のその他の構成は、実施形態１に係る情報処理装置１の構成と同一である。
【００６１】
尚、前記ブックマーク読出処理において、表示制御部２１２は、ブックマークとして登録されたシート１０ａを、設定情報２２２に含まれる表示倍率（例えば２５０％）に関わらず、初期設定時の表示倍率（例えば１００％）に応じた大きさで表示部１２０に表示させてもよい。上述の例では、例えば、図１６に示す表示画面１０のサムネイル画像登録欄１７において、シート番号「２」のサムネイル画像１８が選択された場合、表示制御部２１２は、図２に示すように、シート１０ａの全体（表示倍率：１００％）を表示部１２０に表示させてもよい。これにより、ユーザは、ブックマークとして登録した時点の重要箇所についてはサムネイル画像登録欄１７のサムネイル画像１８で確認することができるとともに、再表示されたシート１０ａ全体に対する編集作業を行い易くなる。
【００６２】
［実施形態３］
ブックマーク登録処理は実施形態１及び２の構成に限定されない。実施形態３に係る情報処理装置１では、ユーザによりシート１０ａに所定の情報３１が付与された場合に、ブックマーク処理部２１３が、所定の情報３１を検出してブックマーク登録処理を実行する。所定の情報３１は、ユーザによりシート１０ａに書き込まれた情報が重要な情報であることを示すために付与される情報である。例えば、所定の情報３１には、「重要」、「大切」、「確認」などの文字情報、赤又は青などの色情報、「〇」、「◎」などのマーク情報、付箋などシート１０ａに添付される登録オブジェクト情報などが含まれる。所定の情報３１は、予め設定される情報であり、予め記憶部２２０に記憶される。図１８には、手書き文字「ＤＥＦ」の近傍に、ユーザ（タッチペン３００）により「重要」（所定の情報３１）の文字が書き込まれた様子を示している。また、図１９には、手書き文字「ＤＥＦ」の近傍に、ユーザにより付箋の登録オブジェクト情報（所定の情報３１）が添付された様子を示している。
【００６３】
実施形態３に係る情報処理装置１は、ブックマーク処理部２１３は、図２０に示すブックマーク登録処理を実行する。
【００６４】
ステップＳ３０１において、ブックマーク処理部２１３が、シート１０ａにおいて所定の情報３１を検出したか否かを判定する。ブックマーク処理部２１３が所定の情報３１を検出した場合は（Ｓ３０１：ＹＥＳ）、処理はステップＳ３０２に移行する。ステップＳ３０２〜Ｓ３０４は、図８に示す実施形態１のブックマーク登録処理のステップＳ１０２〜Ｓ１０４と同一である。
【００６５】
ここで、ブックマーク処理部２１３は、所定の情報３１を検出すると、所定の情報３１を中心とした所定の範囲の領域を拡大したシート１０ａをブックマークとして登録する。前記所定の範囲は、予め設定されてもよいし、ユーザがシート１０ａをブックマークとして登録する際に設定可能であってもよい。
【００６６】
以上のように、本発明の実施形態３に係る情報処理装置１によれば、ユーザが重要と判断した箇所に所定の情報３１を付与することにより自動的に所定の範囲のシート１０ａがブックマークとして登録される。その後、ユーザはシート１０ａを再利用したい場合に、容易に当該シート１０ａを読み出すことができる。また、ブックマークとして登録した時点の表示状態で前記シート１０ａを読み出すことができるため、ユーザは、前回重要と考えた箇所及び前回の思考を容易に見直したり、振り返ったりすることができる。
【００６７】
［実施形態４］
実施形態４に係る情報処理装置１では、ブックマーク処理部２１３は、タッチペン３００による所定の操作に基づいてブックマーク登録処理を実行する。前記所定の操作は、例えば、タッチペン３００でタッチパネル１１０を長押しする操作、タッチペン３００のスイッチ（図示せず）を押しながらタッチパネル１１０を長押しする操作、ユーザの一方の手でタッチパネル１１０をタッチしながら他方の手でタッチペン３００によりタッチパネル１１０を長押しする操作などである。ブックマーク処理部２１３は、前記所定の操作を検出すると、前記ブックマーク登録処理を実行する。
【００６８】
［実施形態５］
実施形態５に係る情報処理装置１では、ブックマーク処理部２１３は、ユーザによる所定のジェスチャー操作に基づいてブックマーク登録処理を実行する。前記所定の操作は、例えば、ユーザが指でタッチパネル１１０を、長押しする操作、スワイプする操作、ダブルクリックする操作などである。ブックマーク処理部２１３は、前記所定のジェスチャー操作を検出すると、前記ブックマーク登録処理を実行する。
【００６９】
［実施形態６］
ブックマーク読出処理は実施形態１及び２の構成に限定されない。実施形態６に係る情報処理装置１では、一覧表示されたサムネイル画像の中からユーザが所望のサムネイル画像を選択した場合、表示制御部２１２は、新たなシート１０ａに、選択されたサムネイル画像に対応するシート１０ａの画像を貼り付けて表示する。この場合、表示されるシート１０ａは、同じファイルのシート１０ａであってもよいし、新たに生成したファイルのシート１０ａであってもよい。これにより、重要な内容について表示するだけでなく、新たな情報が付与された別のファイルとして管理することが可能となる。尚、新たなファイルと元のファイルとを関連付ける情報（ファイル名など）を、新たなファイルに付与してもよい。また、前記情報を付与する操作画面を表示して、ユーザに選択させてもよい。
【００７０】
尚、本発明に係る情報処理装置１は、各請求項に記載された発明の範囲において、以上に示された各実施形態を自由に組み合わせること、或いは各実施形態を適宜、変形又は一部を省略することによって構成されることも可能である。
【符号の説明】
【００７１】
１        ：情報処理装置
１０      ：表示画面
１０ａ    ：シート
１７      ：サムネイル画像登録欄
１８      ：サムネイル画像
１９      ：識別情報
２０      ：拡張メニュー
２１      ：表示領域
２１ａ    ：移動ボタン
２１ｂ    ：移動ボタン
２１ｃ    ：移動ボタン
２１ｄ    ：移動ボタン
２２ａ    ：倍率変更ボタン
２２ｂ    ：倍率変更ボタン
２３      ：ブックマーク登録ボタン
２４      ：ブックマーク読出ボタン
２５      ：ブックマーク用サムネイル表示ボタン
１００    ：タッチパネルディスプレイ
１１０    ：タッチパネル
１２０    ：表示部
２００    ：制御装置
２１０    ：制御部
２１１    ：入力検出部
２１２    ：表示制御部
２１３    ：ブックマーク処理部
２２０    ：記憶部
２２１    ：コンピュータプログラム
２２２    ：設定情報
３００    ：タッチペン
【図１】
2019204384.tif 000003
【図２】
2019204384.tif 000004
【図３】
2019204384.tif 000005
【図４】
2019204384.tif 000006
【図５】
2019204384.tif 000007
【図６】
2019204384.tif 000008
【図７】
2019204384.tif 000009
【図８】
2019204384.tif 000010
【図９】
2019204384.tif 000011
【図１０】
2019204384.tif 000012
【図１１】
2019204384.tif 000013
【図１２】
2019204384.tif 000014
【図１３】
2019204384.tif 000015
【図１４】
2019204384.tif 000016
【図１５】
2019204384.tif 000017
【図１６】
2019204384.tif 000018
【図１７】
2019204384.tif 000019
【図１８】
2019204384.tif 000020
【図１９】
2019204384.tif 000021
【図２０】
2019204384.tif 000022